(57)【特許請求の範囲】
【請求項１】
ランプカバーの裏面に突設された係止片を、洗面化粧台などのキャビネットに設けられた係止孔に差し込み、ランプカバーをキャビネットに取り付けるための取付構造であって、
上記係止片は、ランプカバーの対向した周壁から互いに対向するように突設され、それぞれの先端には、鉤形の抜止部が互いに外向きに設けられたものであり、
上記係止孔は、平面視略長方形状の挿入部とこの挿入部の外側の長辺に連続するように設けられた狭幅の係止部とからなり、
係止部外側のキャビネットの裏面には、係止片の抜止部がせりあう突部が設けられたことを特徴とするランプカバーの取付構造。
【発明の詳細な説明】
【０００１】
【発明の属する技術分野】
本発明は、洗面化粧台などのキャビネットに、照明器具を覆うランプカバーを取り付けるための取付構造に関する。
【０００２】
【従来の技術】
図６は、ランプカバーの取付構造の従来例を示した分解斜視図である。一般にこの種のランプカバー１１は、透明あるいは半透明の合成樹脂で、裏面が開放された略箱形に形成されており、この開放された裏面側には、複数の係止片１２が突設されている。この係止片１２は、互いに対向するように、上下対で設けられ、それぞれの先端には、鉤形の抜止部１２ａが外向きに設けられている。
【０００３】
一方、このランプカバー１１が取り付けられる洗面化粧台のキャビネット１３側には、上記係止片１２が嵌入可能な係止孔１４が、対応する位置に設けられている。この係止孔１４は、係止片１２の先端の幅と厚さよりやや大きい略長方形状で、ランプカバー１１の上下対の係止片１２，１２に対応するように、上下に係止片１２，１２同士の間隔よりやや狭い間隔で設けられている。
【０００４】
従って、ランプカバー１１をその裏面に設けられた係止片１２をキャビネット１３の係止孔１４に位置合わせをしてキャビネット１３側に押し付けると、上下の係止片１２，１２の外側に設けられた傾斜面１２ａ’，１２ａ’が、それぞれ係止孔１４，１４の内側とせりあって、図７に矢印で示すように互いに接近する方向（内方）へと撓み、このことで係止片１２ａは、係止孔１４内へと押し込まれる。そして、やがて係止片１２の先端の抜止部１２ａが、キャビネット１３の裏面に達すると、係止片１２は自身の弾性復元力で元の状態に復帰し、抜止部１２ａがキャビネット１３の裏側に引っ掛かる。このことで、ランプカバー１１は、図７に示すように蛍光灯などの照明器具６を覆うように、キャビネット１３の前側に抜脱不可に取り付けられるものである。
【０００５】
そして、このようにして取り付けられたランプカバー１１をキャビネット１３から取り外すには、ランプカバー１１の上下の側面を押圧して、その裏面に突設された対の係止片１２，１２を、図７に矢印で示すように互いに内方に撓ませれば良く、このことで係止片１２，１２の抜止部１２ａ，１２ａとキャビネット１３裏面との係合が外れ、ランプカバー１１はキャビネット１３から容易に取り外される。
【０００６】
従来のランプカバーの取付構造は、上記のようなものであった。
【０００７】
また、この他に係止孔１４の片側にスリット状の長孔（図示せず）を連続して設け、キャビネット１３に取り付けられたランプカバー１１を横方向にスライドさせることにより、係止片１２をこの長孔に係合させて撓まないように保持し、より確実にランプカバー１１をキャビネット１３に取り付けるようにしたものもあった。
【０００８】
なお、上記何れの場合も係止片１２は、キャビネット１３への取付時に、寸法誤差を許容して確実に弾性復帰するように、その基端（ランプカバー１１の下端）側から抜止部１２ａに至る長さが、キャビネット１３の厚さよりもやや大きい寸法に設定されている。図７において符号Ｃは、この寸法の余裕分により、ランプカバー１１とキャビネット１３との間に生じた間隙を示している。
【０００９】
【発明が解決しようとする課題】
上述した従来のランプカバーの取付構造では、いずれの場合もキャビネットの係止孔に変形して押し込まれたランプカバーの係止片が、元の形状に弾性復帰することにより、その先端の抜止部がキャビネットの裏面側に係合して、ランプカバーを抜け止めるようになっている。従って、係止片が必要な寸法より僅かでも短いと、抜止部がキャビネットの裏面側に到達せず、ランプカバーの取り付けが不可能になるという問題点があった。このため、係止片の長さは、製造時の各部の寸法誤差などを考慮して、必要な寸法よりもやや長く設定されていた。
【００１０】
従って、ランプカバーをキャビネットに取り付けた際、図７に示すようにランプカバーの下（裏）端面と、キャビネットとの間に間隙Ｃが形成され、ここから光漏れを生じてこの種のランプカバーが用いられた洗面化粧台などの品質感を損なうという問題点があった。また、この間隙Ｃから埃などがランプカバーの内部に侵入するので、定期的に掃除をしなくてはならず、手間を要すると共に、掃除を怠った場合には、照明効率が低下すると共に、照明効果も悪くなるという問題点もあった。
【００１１】
本発明は、上記従来のランプカバーの取付構造が有していた問題点の解決を課題とする。
【００１２】
【課題を解決するための手段】
上記の課題を解決するために、本発明の請求項１記載の発明は、ランプカバーの裏面に突設された係止片を、洗面化粧台などのキャビネットに設けられた係止孔に差し込み、ランプカバーをキャビネットに取り付けるための取付構造において、上記係止片を、ランプカバーの対向した周壁から互いに対向するように突設され、それぞれの先端に鉤形の抜止部が互いに外向きに設けられたものとし、上記係止孔を、平面視略長方形状の挿入部とこの挿入部の外側の長辺に連続するように設けられた狭幅の係止部とからなるものとし、係止部外側のキャビネットの裏面には、係止片の抜止部がせりあう突部を設けたことを特徴とする。
【００１３】
【発明の実施の形態】
以下、本発明を図示した実施の形態に基づき詳細に説明する。
【００１４】
図１は、本発明に係るランプカバーの取付構造を示す簡略説明図である。図示したように本発明の取付構造に用いられるランプカバー１は、従来例の欄において示したものと同様に、透明あるいは半透明の合成樹脂で裏面が開放された略箱形に形成されたものであり、この開放された裏面側（図１において右奥側）には、複数の係止片２が突設されている。この係止片２は、ランプカバー１の対向した壁面１ａ，１ｂに連続するように上下に対向して設けられており、それぞれの先端には、鉤形の抜止部２ａが互いに外向き（図１において上下方向）に設けられている。
【００１５】
一方、このランプカバー１が取り付けられる洗面化粧台のキャビネット３側には、上記係止片２が嵌入可能な係止孔４が設けられている。この係止孔４は、図２の拡大図に示すように、係止片２の先端の幅と厚さよりやや大きい略長方形状の挿入部４ａと、この挿入部４ａの外側（図２において上側）の長辺に連続するように設けられた狭幅の係止部４ｂとからなり、係止部４ｂの外側（図２において上側）のキャビネット３の裏面には、図３に示すように挿入部４ａ側に向かって下降傾斜した突部５が設けられている。
【００１６】
なお、この係止孔４は、ランプカバー１の上下に対になった係止片２，２に対応するように、対で設けられ、その間隔は、係止片２，２同士の間隔よりやや狭く設定されている。
【００１７】
また、上記係止片２は、その基端側（ランプカバー１の下端面）から抜止部２ａに至る寸法が、キャビネット３の厚さよりもやや大きく形成されていることとする。
【００１８】
本発明のランプカバーの取付構造は、上記のとおりである。
【００１９】
なお、図１において符号６は、キャビネット３の前面に取り付けられ、このランプカバー１で覆われる蛍光灯を示す。また、２ａ’は、係止片２先端の傾斜面を示す。
【００２０】
次に上記の取付構造によるランプカバー１の取付方を順を追って説明すると、まず、ランプカバー１の裏面に突設された係止片２が、キャビネット３に設けられた係止孔４の挿入部４ａに向き合うように位置合わせをし、ランプカバー１をキャビネット３側に押し付ける。すると、上下の係止片２，２は、その先端の外側に設けられた傾斜面２ａ’，２ａ’が、それぞれ上下の係止孔４，４の内側とせりあって、互いに接近する方向（内方）へと撓む。このことで上下の係止片２，２は、この係止片２，２同士の間隔よりもやや狭い間隔で設けられた上下の係止孔４，４内へと押し込まれる。そして、やがて係止片２の先端の抜止部２ａが、キャビネット３の裏面に達すると、係止片２は自身の弾性復元力で元の状態に復帰し、図４に示すように抜止部２ａがキャビネット３の裏側に引っ掛かる。このとき、寸法誤差を許容して係止片２が確実に弾性復帰するように、係止片２は、その基端側（ランプカバー１の下端面１ｃ）から抜止部２ａに至る寸法が、キャビネット３の厚さよりもやや大きく形成されているので、キャビネット３に取り付けられたランプカバー１の下端面１ｃと、キャビネット３との間には、間隙Ｃが生じる。
【００２１】
次に、このようにしてキャビネット３の裏面側に、係止片２の抜止部２ａを位置させた状態で、ランプカバー１を横方向（この場合は、図１において左奥側）に押す。すると、係止孔４に嵌入した係止片２は、挿入部４ａからその片側に連続して設けられた狭幅の係止部４ｂへと移動し、内方に撓まないように規制される。この時、同時に抜止部２ａは、キャビネット３の裏面に設けられた突部５に乗り上げ、結果としてランプカバー１をキャビネット３側へと引き寄せることとなる。このことにより、ランプカバー１は、図５に示すようにその下端面１ｃがキャビネット３の表面に圧接することとなり、両者の間に間隙が生じなくなる。
【００２２】
以上のようにして本発明のランプカバーの取付構造では、ランプカバー１がキャビネット３との間に隙間を生じないように、このキャビネット３に確実に取り付けられる。従って、ランプカバー１とキャビネット３との間から光漏れを生じたり、ランプカバー１の内部に埃が侵入したりするおそれがない。
【００２３】
また、このようにして取り付けられたランプカバー１をキャビネット３から取り外すには、まずランプカバー１を上記と反対方向に押動し、係止片２を係止孔４の挿入部４ａに移動させた後、ランプカバー１の上下の側壁１ａ，１ｂを内方に撓ませるように押し付ければ良く、このことで側壁１ａ，１ｂに連設された上下の係止片２，２が互いに接近する方向に移動し、抜止部２ａとキャビネット３裏面との係合が外れるので、ランプカバー１をキャビネット３から容易に取り外すことができる。
【００２４】
なお、図示した実施の形態では、ランプカバー１として底面が開放された略箱状のものを例示したが、本発明の取付構造に用いられるランプカバー１は、抜止部１ａを有する係止片２が一体的に突設され、キャビネット３に取り付けられることにより、蛍光灯６などの照明器具を覆えるものであれば良く、その形状は半円筒形、断面略三角形状あるいは台形状などであっても良い。
【００２５】
また、ランプカバー１が取り付けられる対象物として洗面化粧台のキャビネット３を例示したが、本発明のランプカバーの取付構造が採用し得るのは、洗面化粧台に限られるものでないことは言うまでもない。
【００２６】
【発明の効果】
以上説明したように、本発明のランプカバーの取付構造では、ランプカバーの裏面に突設された係止片が係合する係止孔に、狭幅の係止部を設けると共に、係止部外方のキャビネット裏面に、係止片に設けられた抜止部がせりあう突部を設けたので、係止片を係止孔に差し込み、側方にスライドさせることにより、係止片が係止孔から抜脱不可に係止されると共に、ランプカバーがキャビネットに圧接してこのキャビネットに取り付けられる。よって、ランプカバーがより確実にキャビネットに取り付けられると共に、ランプカバーとキャビネットとの間に、光漏れや埃の侵入の原因となる隙間を生じなくすることができるという効果がある。
【図面の簡単な説明】
【図１】本発明に係るランプカバーの取付構造を示す簡略説明図である。
【図２】キャビネットの要部拡大正面図である。
【図３】図２のＡ−Ａ’線の断面図である。
【図４】ランプカバーのキャビネットへの取付途中の状態を示す要部断面図である。
【図５】ランプカバーのキャビネットへの取付完了状態を示す要部断面図である。
【図６】従来例の簡略説明図である。
【図７】従来の取付構造によるランプカバーとキャビネットの要部断面図である。
【符号の説明】
１  ランプカバー
１ａ，１ｂ  対向壁
１ｃ  下端面
２  係止片
２ａ  抜止部
２ａ’  傾斜面
３  キャビネット
４  係止孔
４ａ  挿入部
４ｂ  係止部
５  突部
Ｃ  間隙
【図１】
0004226166.tif 000002
【図２】
0004226166.tif 000003
【図３】
0004226166.tif 000004
【図４】
0004226166.tif 000005
【図５】
0004226166.tif 000006
【図６】
0004226166.tif 000007
【図７】
0004226166.tif 000008